(57)【要約】【課題】  １系統の送受信回路で、複数のユーザに対応可能とする装置の提供。【解決手段】  第１、第２のアンテナ２０１、２０２と、切替スイッチ２０３と、切替スイッチ２０３で選択されたアンテナでの受信信号を受信、増幅、復調する受信機２０４と、受信機２０４からの信号を受け、切替スイッチ２０３に切替制御信号を出力する判定回路２０５を備え、判定回路２０５は、各ユーザ端末１１、１２の送信電力報告値を用いて、アンテナ２０１、２０２を選択する。【選択図】  図１
2005260502.tif 000002
【特許請求の範囲】
【請求項１】
複数のアンテナと、
前記複数のアンテナのうちのいずれか１つのアンテナを選択する選択回路と、
前記選択回路で選択されたアンテナからの信号を受信する受信回路と、
前記受信回路から与えられる情報に基づき、前記選択回路における前記アンテナの選択を制御する制御回路と、
を備えている、ことを特徴とする通信装置。
【請求項２】
複数のアンテナと、
前記複数のアンテナの出力と、前記複数のアンテナの少なくとも２つのアンテナでの受信信号を重み付け加算した信号出力と、のうちの一つを選択する選択回路と、
前記選択回路で選択された信号を受信する受信回路と、
前記受信回路から与えられる情報に基づき、前記選択回路の選択を制御する制御回路と、
を備えている、ことを特徴とする通信装置。
【請求項３】
複数のアンテナと、
前記複数のアンテナでの信号にそれぞれ重み付けして加算した信号を受信する受信回路と、
前記受信回路から与えられる情報に基づき、前記複数のアンテナにそれぞれ対応する重みを可変制御する制御回路と、
を備えている、ことを特徴とする通信装置。
【請求項４】
送信回路を備え、
前記送信回路は、前記選択回路で選択されたアンテナを、前記受信回路と共用する、ことを特徴とする請求項１乃至３のいずれか一に記載の通信装置。
【請求項５】
送信回路を備え、
前記送信回路の接続先が、前記複数のアンテナのうちの１つに固定される、ことを特徴とする請求項１乃至３のいずれか一に記載の通信装置。
【請求項６】
前記制御回路は、前記通信装置と無線通信する通信端末の送信電力報告値を用いて、前記選択回路における選択を制御する、ことを特徴とする請求項１又は２に記載の通信装置。
【請求項７】
前記制御回路は、前記通信装置と無線通信する通信端末の送信電力報告値を用いて、前記複数のアンテナにそれぞれ対応する前記重みを可変制御する、ことを特徴とする請求項３に記載の通信装置。
【請求項８】
複数のアンテナと、
前記複数のアンテナのうちのいずれか１つのアンテナを選択する選択回路と、
前記選択回路で選択されたアンテナから送信信号を出力する送信回路と、
前記送信回路から与えられる情報に基づき、前記選択回路におけるアンテナの選択を制御する制御回路と、
を備えている、ことを特徴とする通信装置。
【請求項９】
複数のアンテナと、
送信信号を出力する送信回路と、
前記送信回路の出力を、前記複数のアンテナと、前記送信回路の出力を重み付けした信号を少なくとも２つのアンテナに分配する回路と、のうちのいずれか一つに接続する選択回路と、
前記送信回路から与えられる情報に基づき、前記選択回路の選択を制御する制御回路と、
を備えている、ことを特徴とする通信装置。
【請求項１０】
複数のアンテナと、
送信信号を出力する送信回路と、
前記送信回路の出力を重み付けた信号を少なくとも２つのアンテナに分配する回路と、
前記送信回路から与えられる情報に基づき、前記少なくとも２つのアンテナに対応する前記重みを可変に制御する制御回路と、
を備えている、ことを特徴とする通信装置。
【請求項１１】
受信回路を備え、
前記受信回路は、前記選択回路で選択されたアンテナを、前記送信回路と共用する、ことを特徴とする請求項８乃至１０のいずれか一に記載の通信装置。
【請求項１２】
受信回路を備え、
前記受信回路の接続先が、前記複数の選択回路の少なくとも１つに固定される、ことを特徴とする請求項８乃至１０のいずれか一に記載の通信装置。
【請求項１３】
前記制御回路は、前記通信装置の送信電力を用いて、前記選択回路の選択を制御する、ことを特徴とする請求項８又は９に記載の通信装置。
【請求項１４】
前記制御回路は、前記通信装置の送信電力を用いて、前記重み付けを可変制御する、ことを特徴とする請求項１０に記載の通信装置。
【請求項１５】
前記制御回路は、
（Ａ１）複数の通信端末から報告される送信電力報告値の中の最大値を比較し、最大値の小さいほうのアンテナを選択する、
（Ａ２）複数の通信端末から報告される送信電力報告値の中の最大値と最小値の差を比較し、差の小さいほうのアンテナを選択する、
（Ａ３）複数の通信端末から報告される送信電力報告値の平均値を比較し、平均値の小さいほうのアンテナを選択する、
（Ａ４）予め閾値を設けておき、複数の通信端末から報告される送信電力報告値のうちその閾値を越えたユーザの数を比較し、ユーザの数の少ない方のアンテナを選択する、
の少なくとも１つでアンテナを選択する、ことを特徴とする請求項１又は２に記載の通信装置。
【請求項１６】
前記制御回路は、
（Ｂ１）定期的にアンテナを切り替えるか、
（Ｂ２）通信中の複数の通信端末から報告される通信端末の送信電力報告値をモニタし、
（Ｃ１）前記送信電力報告値の中に、予め定められた閾値を越えるものがあるとき、
（Ｃ２）前記送信電力報告値の最大値と最小値の差が、予め定められた閾値を越えたとき、
（Ｃ３）前記送信電力報告値の平均値が、予め定められた閾値を越えたとき、
（Ｃ４）前記送信電力報告値が予め定められた閾値を越えるユーザの比率が一定値を越えたとき、
のうち少なくとも１つの条件を満たしたときに、前記アンテナを切り替える、ことを特徴とする請求項１５記載の通信装置。
【請求項１７】
前記制御回路は、
（Ｄ１）複数の通信端末への送信電力値の中の最大値を比較し、最大値の小さいほうのアンテナを選択する、
（Ｄ２）複数の通信端末への送信電力値の中の最大値と最小値の差を比較し、差の小さいほうのアンテナを選択する、
（Ｄ３）複数の通信端末への送信電力値の平均値を比較し、平均値の小さいほうのアンテナを選択する、
（Ｄ４）予め閾値を設けておき、複数の通信端末への送信電力値のうち前記閾値を越えたユーザの数を比較し、ユーザの数の少ない方のアンテナを選択する、
の少なくとも１つにしたがって、前記アンテナを選択する、ことを特徴とする請求項８又は９に記載の通信装置。
【請求項１８】
前記制御回路は、
（Ｅ１）定期的にアンテナを切り替えるか、
（Ｅ２）通信中の前記通信装置が複数のユーザの通信端末への送信電力値をモニタし、
（Ｆ１）送信電力値の中に、予め定められた閾値を越えるものがあるとき
（Ｆ２）送信電力値の最大値と最小値の差が、予め定められた閾値を越えたとき
（Ｆ３）送信電力値の平均値が予め定められた閾値を越えたとき
（Ｆ４）送信電力値が、予め定められた閾値を越えるユーザの比率が一定値を越えたとき、
のうち少なくとも１つの条件を満たしたときに、前記アンテナを切り替える、ことを特徴とする請求項１７記載の通信装置。
【請求項１９】
前記制御回路は、
アンテナを切り替える際、各通信端末への送信電力を含むパラメータを退避しておき、アンテナをもとに戻すときには記憶していたパラメータを復帰する、ことを特徴とする請求項８乃至１０のいずれか一に記載の通信装置。
【請求項２０】
前記制御回路は、アンテナを切り替えるにあたり、通信容量が少ないタイミングを選択して切り替えを行うことを特徴とする請求項１乃至３、８乃至１０のいずれか一に記載の通信装置。
【請求項２１】
前記制御回路は、前記送信電力報告値を比較する際、伝送速度に応じた、重みをつけることを特徴とする請求項１乃至３のいずれか一に記載の通信装置。
【請求項２２】
前記制御回路は、前記送信電力値を比較する際、伝送速度に応じた、重みをつけることを特徴とする請求項８乃至１０のいずれか一に記載の通信装置。
【請求項２３】
前記制御回路は、前記送信電力報告値の比較に用いる閾値について、伝播条件及び／又は、接続するユーザ数に応じて、適応的に変化させる、ことを特徴とする請求項１乃至３のいずれか一に記載の通信装置。
【請求項２４】
前記制御回路は、前記送信電力値の比較に用いる閾値について、伝播条件及び／又は、接続するユーザ数に応じて、適応的に変化させる、ことを特徴とする請求項８乃至１０のいずれか一に記載の通信装置。
【請求項２５】
請求項１乃至２４のいずれか一に記載の前記通信装置が無線基地局である、ことを特徴とする通信装置。
【請求項２６】
通信端末と無線通信する通信装置の通信制御方法であって、
複数のアンテナのうちのいずれか１つのアンテナを選択回路で選択する工程と、
選択されたアンテナからの受信信号を受信回路で受信する工程と、
前記受信回路から与えられる情報に基づき、前記選択回路における前記アンテナの切替を制御する工程と、
を含む、ことを特徴とする通信制御方法。
【請求項２７】
通信端末と無線通信する通信装置の通信制御方法であって、
複数のアンテナのうちのいずれか１つのアンテナの出力と、複数のアンテナの少なくとも２つのアンテナの信号を重み付け加算した信号出力と、のうちの１つを選択回路で選択する工程と、
選択された信号を受信回路で受信する工程と、
前記受信回路から与えられる情報に基づき前記選択回路の選択を制御する工程と、
を含む、ことを特徴とする通信制御方法。
【請求項２８】
通信端末と無線通信する通信装置の通信制御方法であって、
複数のアンテナの信号にそれぞれ重み付けし加算した信号を受信回路で受信する工程と、
前記受信回路から与えられる情報に基づき、前記複数のアンテナの信号の重み付けを可変制御する工程と、
を含む、ことを特徴とする通信制御方法。
【請求項２９】
前記通信端末からの送信電力報告値を用いて、複数のアンテナを選択する、ことを特徴とする請求項２６又は２７に記載の通信制御方法。
【請求項３０】
前記通信端末からの送信電力報告値を用いて、前記重みを可変制御する、ことを特徴とする請求項２８に記載の通信制御方法。
【請求項３１】
通信端末と無線通信する通信装置の通信制御方法であって、
送信回路からの送信信号を、複数のアンテナのうち、選択回路で選択されたアンテナから出力する工程と、
前記送信回路から与えられる情報に基づき、前記選択回路におけるアンテナの選択を制御する工程と、
を含む、ことを特徴とする通信制御方法。
【請求項３２】
通信端末と無線通信する通信装置の通信制御方法であって、
複数のアンテナと、送信回路の出力を重み付けした信号を少なくとも２つのアンテナに分配する回路のうちのいずれか一つを選択回路で選択する工程と、
前記選択にしたがって、前記送信回路の出力を重み付けした信号を少なくとも２つのアンテナから出力するか、又は、前記送信回路の出力を選択された１つのアンテナから出力する工程と、
前記送信回路から与えられる情報に基づき、前記選択回路における選択を制御する工程と、
を含む、ことを特徴とする通信制御方法。
【請求項３３】
通信端末と無線通信する通信装置の通信制御方法であって、
送信回路の出力を重み付けた信号を少なくとも２つのアンテナに分配する工程と、
前記送信回路から与えられる情報に基づき、前記重みを可変に制御する工程と、
を含む、ことを特徴とする通信制御方法。
【請求項３４】
送信電力を用いて、前記複数のアンテナの選択を制御する、ことを特徴とする請求項３１又は３３に記載の通信制御方法。
【請求項３５】
送信電力を用いて、前記重みを可変制御する、ことを特徴とする請求項３３に記載の通信制御方法。
【請求項３６】
（Ａ１）複数の通信端末から報告される送信電力報告値の中の最大値を比較し、最大値の小さいほうのアンテナを選択する、
（Ａ２）複数の通信端末から報告される送信電力報告値の中の最大値と最小値の差を比較し、差の小さいほうのアンテナを選択する、
（Ａ３）複数の通信端末から報告される送信電力報告値の平均値を比較し、平均値の小さいほうのアンテナを選択する、
（Ａ４）予め閾値を設けておき、複数の通信端末から報告される送信電力報告値のうち閾値を越えたユーザの数を比較し、ユーザの数の少ない方のアンテナを選択する、
の少なくとも１つにしたがって前記アンテナを選択する、ことを特徴とする請求項２６又は２７に記載の通信制御方法。
【請求項３７】
（Ｂ１）定期的にアンテナを切り替えるか、
（Ｂ２）通信中の複数の通信端末から報告される通信端末の送信電力報告値をモニタし、
（Ｃ１）送信電力報告値の中に、予め定められた閾値を越えるものがあるとき、
（Ｃ２）送信電力報告値の最大値と最小値の差が、予め定められた閾値を越えたとき、
（Ｃ３）送信電力報告値の平均値が、予め定められた閾値を越えたとき、
（Ｃ４）送信電力報告値が予め定められた閾値を越えるユーザの比率が一定値を越えたとき、
の少なくとも１つの条件を満たすとき、前記アンテナを切り替える、ことを特徴とする請求項３６記載の通信制御方法。
【請求項３８】
（Ｄ１）複数の通信端末への送信電力値の中の最大値を比較し、最大値の小さいほうのアンテナを選択する、
（Ｄ２）複数の通信端末への送信電力値の中の最大値と最小値の差を比較し、差の小さいほうのアンテナを選択する、
（Ｄ３）複数の通信端末への送信電力値の平均値を比較し、平均値の小さいほうのアンテナを選択する、
（Ｄ４）予め閾値を設けておき、複数の通信端末への送信電力値のうちその閾値を越えたユーザの数を比較し、ユーザの数の少ない方のアンテナを選択する、
の少なくとも１つでアンテナを選択する、ことを特徴とする請求項３１又は３２に記載の通信制御方法。
【請求項３９】
（Ｅ１）定期的にアンテナを切り替えるか、
（Ｅ２）通信中の前記通信装置が複数のユーザの通信端末への送信電力値をモニタし、
（Ｆ１）送信電力値の中に、予め定められた閾値を越えるものがあるとき
（Ｆ２）送信電力値の最大値と最小値の差が、予め定められた閾値を越えたとき
（Ｆ３）送信電力値の平均値が、予め定められた閾値を越えたとき
（Ｆ４）送信電力値が予め定められた閾値を越えるユーザの比率が一定値を越えたとき、
のうち少なくとも１つの条件を満たしたときに、前記アンテナを切り替える、ことを特徴とする請求項３８記載の通信制御方法。
【請求項４０】
アンテナを切り替える際、各通信端末への送信電力を含むパラメータを退避しておき、アンテナをもとに戻すときには記憶していたパラメータを復帰する、ことを特徴とする請求項３１乃至３３のいずれか一に記載の通信制御方法。
【請求項４１】
アンテナを切り替えるにあたり、通信容量が少ないタイミングを選択して切り替えを行うことを特徴とする請求項２６乃至２８、３１乃至３３のいずれか一に記載の通信制御方法。
【請求項４２】
前記送信電力報告値を比較する際、伝送速度に応じた、重みをつけることを特徴とする請求項２６乃至２８のいずれか一に記載の通信制御方法。
【請求項４３】
前記送信電力値を比較する際、伝送速度に応じた、重みをつけることを特徴とする請求項３１乃至３３のいずれか一に記載の通信制御方法。
【請求項４４】
前記送信電力報告値を比較する閾値について、伝播条件及び／又はユーザ数に応じて、適応的に変化させる、ことを特徴とする請求項２６乃至２８のいずれか一に記載の通信制御方法。
【請求項４５】
前記送信電力値を比較する閾値について、伝播条件及び／又はユーザ数に応じて、適応的に変化させる、ことを特徴とする請求項３１乃至３３のいずれか一に記載の通信制御方法。
【請求項４６】
請求項２６乃至４５のいずれか一に記載の前記通信装置が無線基地局である、ことを特徴とする通信制御方法。
【発明の詳細な説明】
【技術分野】
【０００１】
本発明は、移動通信システムに関し、特に基地局と送受信ダイバーシティ技術に関する。
【背景技術】
【０００２】
近時、ディジタル移動体通信において、セル半径の小さな小容量の屋内用の基地局装置の需要が高まりつつある。なお、移動体通信におけるアンテナダイバーシティに関して、後記特許文献１等が参照される。なお、後記特許文献１には、ＵＷＢ（ウルトラワイドバンド）伝送方式等に適用されるアンテナを切り替えるアンテナダイバーシティ受信の手法が記載されている。
【０００３】
移動通信用基地局では、一般に、ダイバーシティゲインを得るため、受信用に２本のアンテナと、該２本のアンテナに接続された２系列の受信回路が用いられている。
【０００４】
しかしながら、小容量の屋内用基地局などでは、コストを削減するため受信回路を１系統にすることが望まれる。
【０００５】
ところで、屋内環境においては、ユーザ端末と基地局アンテナの位置関係によっては、図９に示すように、送信装置（通信端末）１１（あるいは１２）からの電波が受信アンテナ２１に直接到達した直接波と、送信装置１１からの電波が物体３０で反射されて受信アンテナ２１に到達した反射波とが打ち消しあい、受信電力が大幅に低下してしまうことがある。
【０００６】
したがって、図９に示すように、アンテナが１本の場合、このような回線条件の悪い状態で、通信が継続されてしまう可能性がある。
【０００７】
このため、アンテナを２本具備し、受信回路は、１系統とすることが望ましい。そして、接続されているユーザが１つの場合には、回線状態の良好な方を選択する構成とすればよい。
【０００８】
【特許文献１】特開２００３−３２１６２号公報
【発明の開示】
【発明が解決しようとする課題】
【０００９】
しかしながら、アンテナを２本具備し、受信回路を１系統とした場合、接続されているユーザが２つ以上の場合には、上記した選択基準は、適用できない。
【００１０】
したがって、本発明は、上記問題点に鑑みて創案されたものであって、その目的は、１系統の送受信回路で、複数のユーザに対応可能とする通信装置及び通信制御方法を提供することにある。
【課題を解決するための手段】
【００１１】
本願で開示される発明は、上記目的を達成するため、概略、以下の構成とされる。
【００１２】
本発明の１つのアスペクト（側面）に係る通信装置は、複数のアンテナと、前記複数のアンテナのうちのいずれか１つのアンテナを選択する選択回路と、前記選択回路で選択されたアンテナからの信号を受信する受信回路と、前記受信回路から与えられる情報に基づき、前記選択回路における前記アンテナの選択を制御する制御回路とを備えている。
【００１３】
本発明の他のアスペクトに係る通信装置は、複数のアンテナと、前記複数のアンテナの出力と、前記複数のアンテナの少なくとも２つのアンテナでの受信信号を重み付け加算した信号出力と、のうちの一つを選択する選択回路と、前記選択回路で選択された信号を受信する受信回路と、前記受信回路から与えられる情報に基づき、前記選択回路の選択を制御する制御回路とを備えている。
【００１４】
本発明の他のアスペクトに係る通信装置は、複数のアンテナと、前記複数のアンテナでの信号にそれぞれ重み付けして加算した信号を受信する受信回路と、前記受信回路から与えられる情報に基づき、前記複数のアンテナにそれぞれ対応する重みを可変制御する制御回路とを備えている。
【００１５】
本発明の１つのアスペクトに係る無線基地局は、送信回路を備え、前記送信回路は、前記スイッチで選択されたアンテナを、前記受信回路と共用する。前記送信回路の接続先は、前記複数のスイッチの少なくとも１つに固定される構成としてもよい。
【００１６】
本発明において、前記制御回路は、通信端末の送信電力報告値を用いて、複数のアンテナを選択する。あるいは、送信電力報告値を用いて、複数のアンテナにそれぞれ対応する前記重みを可変制御するようにしてもよい。
【００１７】
本発明の他のアスペクトに係る通信装置は、複数のアンテナと、前記複数のアンテナのうちのいずれか１つのアンテナを選択する選択回路と、前記選択回路で選択されたアンテナから送信信号を出力する送信回路と、前記送信回路から与えられる情報に基づき、前記選択回路におけるアンテナの選択を制御する制御回路とを備えている。
【００１８】
本発明のさらに他のアスペクトに係る通信装置は、複数のアンテナと、送信信号を出力する送信回路と、前記送信回路の出力を、前記複数のアンテナと、前記送信回路の出力を重み付けした信号を少なくとも２つのアンテナに分配する回路と、のうちのいずれか一つに接続する選択回路と、前記送信回路から与えられる情報に基づき、前記選択回路の選択を制御する制御回路とを備えている。
【００１９】
本発明のさらに他のアスペクトに係る通信装置は、複数のアンテナと、送信信号を出力する送信回路と、前記送信回路の出力を重み付けた信号を少なくとも２つのアンテナに分配する回路と、前記送信回路から与えられる情報に基づき、前記少なくとも２つのアンテナに対応する前記重みを可変に制御する制御回路とを備えている。
【００２０】
本発明においては、受信回路は、前記スイッチで選択されたアンテナを、前記送信回路と共用する構成としてもよい。あるいは、受信回路は、前記複数のスイッチの少なくとも１つに接続される構成としてもよい。
【００２１】
本発明においては、前記制御回路は、送信電力を用いて、複数のアンテナを選択する。あるいは、送信電力を用いて、重みを可変制御する。
【００２２】
本発明の１つのアスペクトに係る方法は、
複数のアンテナのうちのいずれか１つのアンテナを選択回路で選択する工程と、
選択されたアンテナからの受信信号を受信回路で受信する工程と、
前記受信回路から与えられる情報に基づき、前記選択回路における前記アンテナの切替を制御する工程と、を含む。
【００２３】
本発明の他のアスペクトに係る方法は、
複数のアンテナのうちのいずれか１つのアンテナの出力と、複数のアンテナの少なくとも２つのアンテナの信号を重み付け加算した信号出力と、のうちの１つを選択回路で選択する工程と、
選択された信号を受信回路で受信する工程と、
前記受信回路から与えられる情報に基づき前記選択回路の選択を制御する工程と、を含む。
【００２４】
本発明の他のアスペクトに係る方法は、
複数のアンテナの信号にそれぞれ重み付けし加算した信号を受信回路で受信する工程と、
前記受信回路から与えられる情報に基づき、前記複数のアンテナの信号の重み付けを可変制御する工程と、を含む。
【００２５】
本発明の他のアスペクトに係る方法は、
送信回路からの送信信号を、複数のアンテナのうち、選択回路で選択されたアンテナから出力する工程と、
前記送信回路から与えられる情報に基づき、前記選択回路におけるアンテナの切替を制御する工程と、を含む。
【００２６】
本発明のさらに他のアスペクトに係る方法は、
複数のアンテナと、送信回路の出力を重み付けした信号を少なくとも２つのアンテナに分配する回路のうちのいずれか一つを選択回路で選択する工程と、
前記選択にしたがって、前記送信回路の出力を重み付けした信号を少なくとも２つのアンテナから出力するか、又は、前記送信回路の出力を選択された１つのアンテナから出力する工程と、
前記送信回路から与えられる情報に基づき、前記選択回路における選択を制御する工程と、を含む。
【００２７】
本発明のさらに他のアスペクトに係る方法は、
送信回路の出力を重み付けた信号を少なくとも２つのアンテナに分配する工程と、
前記送信回路から与えられる情報に基づき、前記重みを可変に制御する工程と、を含む。
【発明の効果】
【００２８】
本発明によれば、１系統の受信回路で複数のユーザに対応することができる。
【００２９】
また、本発明によれば、１系統の送信回路で複数のユーザに対応することができる。
【発明を実施するための最良の形態】
【００３０】
本発明についてさらに詳細に説述すべく、添付図面を参照して、発明の実施の形態について以下に説明する。
【００３１】
移動通信用の無線基地局では、アンテナを２本備えているが、受信回路は、１系統具備し、アンテナの出力は、スイッチ（選択回路）で、切り替えて受信回路に接続される。スイッチを切替え、アンテナを選択するにあたり、例えば以下の方法の少なくとも１つが用いられる。
【００３２】
（ａ）受信用のアンテナを選択する手段として、各ユーザ端末からの複数の送信電力報告値を用いる。
【００３３】
（ｂ）送信用のアンテナを選択する手段として、無線基地局から各ユーザ端末への複数の送信電力値を用いる。
【００３４】
ここで、無線基地局（図１の２０）、端末（図１の１１、１２）とも、閉ループによる送信電力制御を行っているものとする。
【００３５】
図１は、本発明の一実施形態の構成を示す図である。図１を参照すると、無線基地局２０の受信装置は、第１のアンテナ２０１と、第２のアンテナ２０２と、第１のアンテナ２０１及び第２のアンテナ２０２と受信機２０４との接続を切り替える切替スイッチ２０３と、切替スイッチ２０３で選択されたアンテナからの信号を受信し、増幅・復調する受信機２０４と、受信機２０４からの信号（端末の送信電力値）を受け、切替スイッチ２０３に対して切替制御信号を出力する判定回路２０５を備えている。受信用のアンテナ２０１、２０２を選択する手段として、各ユーザ端末１１、１２の送信電力報告値を用いる。
【００３６】
アンテナを選択する方法としては、例えば以下（Ａ１）乃至（Ａ４）のうちの少なくとも１つが用いられる。
【００３７】
（Ａ１）複数のユーザ端末１１、１２から報告される送信電力報告値の中の最大値を比較し、最大値の小さいほうのアンテナを選択する。
【００３８】
（Ａ２）複数のユーザ端末１１、１２から報告される送信電力報告値の中の最大値と最小値の差を比較し、差の小さいほうのアンテナを選択する。
【００３９】
（Ａ３）複数のユーザ端末１１、１２から報告される送信電力報告値の平均値を比較し、平均値の小さいほうのアンテナを選択する。
【００４０】
（Ａ４）予め閾値を設けておき、複数のユーザ端末１１、１２から報告される送信電力報告値のうち、該閾値を越えたユーザの数を比較し、ユーザの数の少ない方のアンテナを選択する。
【００４１】
ところで、（Ａ１）乃至（Ａ４）のように、ユーザ端末から報告される送信電力報告値の比較を行うには、アンテナを切替える動作が必要とされる。そこで、本実施例において、アンテナを切替える契機としては、例えば以下の（Ｂ１）又は（Ｂ２）が用いられる。
【００４２】
（Ｂ１）定期的にアンテナを切り替える。
【００４３】
（Ｂ２）通信中の複数のユーザ端末１１、１２から報告されるユーザ端末の送信電力報告値をモニタし、以下の（Ｃ１）乃至（Ｃ４）のいずれかの条件を満たしたときにアンテナを切り替える。
【００４４】
（Ｃ１）送信電力報告値の中に、予め定められた閾値を越えるものがあるとき。
【００４５】
（Ｃ２）送信電力報告値の最大値と最小値の差が、予め定められた閾値を越えたとき。
【００４６】
（Ｃ３）送信電力報告値の平均値が、予め定められた閾値を越えたとき。
【００４７】
（Ｃ４）送信電力報告値が予め定められた閾値を越えるユーザの比率が、一定値を越えたとき。
【００４８】
図２は、本発明の一実施形態の無線基地局における送信機の接続構成を示す図である。この実施形態では、無線基地局２０における送信用のアンテナについては、図２に示すように、受信用のアンテナに合わせて切り替える。スイッチ２０３には、受信機２０４と送信機２０６が共通に接続され、第１のアンテナ２０１がスイッチ２０３で選択されているときは、受信機２０４と送信機２０６は、第１のアンテナ２０１を送受信アンテナとして用いる。
【００４９】
図３は、本発明の第２の実施の形態の構成を示す図である。本発明の第２の実施の形態では、図３に示すように、送信機２０６の出力は、アンテナ２０１に接続されている。本発明の第２の実施の形態において、アンテナの選択は、前記第１の実施の形態と同様とされる。
【００５０】
図４は、本発明の第３の実施形態の無線基地局の構成を示す図である。送信アンテナ２１１、２１２と、送信機２０６の送信信号を第１、第２のアンテナ２１１、２１２の一方に出力するスイッチ２１３として、無線基地局２０から各ユーザ端末１１、１２への送信電力報告値を用いる。
【００５１】
アンテナ２１１、２１２を選択する方法としては、例えば以下の（Ｄ１）乃至（Ｄ４）うちの一つが用いられる。
【００５２】
（Ｄ１）複数のユーザ端末１１、１２への送信電力値の中の最大値を比較し、最大値の小さいほうのアンテナを選択する。
【００５３】
（Ｄ２）複数のユーザ端末１１、１２への送信電力値の中の最大値と最小値の差を比較し、差の小さいほうのアンテナを選択する。
【００５４】
（Ｄ３）複数のユーザ端末１１、１２への送信電力値の平均値を比較し、平均値の小さいほうのアンテナを選択する。
【００５５】
（Ｄ４）予め閾値を設けておき、複数のユーザ端末１１、１２への送信電力値のうちその閾値を越えたユーザの数を比較し、ユーザの数の少ない方のアンテナを選択する。
【００５６】
このような比較を行うには、アンテナを切替える動作が必要とされる。そこで、本実施例では、アンテナを切替の契機として、例えば以下の（Ｅ１）又は（Ｅ２）が用いられる。
【００５７】
（Ｅ１）定期的にアンテナを切り替える。
【００５８】
（Ｅ２）通信中の無線基地局２０から複数のユーザ端末への送信電力値をモニタし、以下の（Ｆ１）乃至（Ｆ４）のいずれかの条件を満たしたときにアンテナを切り替える。
【００５９】
（Ｆ１）送信電力値の中に、予め定められた閾値を越えるものがあるとき。
【００６０】
（Ｆ２）送信電力値の最大値と最小値の差が、予め定められた閾値を越えたとき。
【００６１】
（Ｆ３）送信電力値の平均値が、予め定められた閾値を越えたとき。
【００６２】
（Ｆ４）送信電力値が予め定められた閾値を越えるユーザの比率が一定値を越えたとき。
【００６３】
受信用のアンテナについては、送信用のアンテナに合わせて、切り替えてもよい。この場合の構成は、図２において、受信機２０４と送信機２０６の位置を入れ替えた構成とされる。あるいは、切り替えないで、常に同じアンテナとしてもよい。この場合、図３において、受信機２０４と送信機２０６の位置を入れ替えた構成とされる。
【００６４】
さらに、別の実施例として、次のようなオプションを備えてもよい。
【００６５】
（Ｇ１）送信用のアンテナと、受信用のアンテナをそれぞれ独立に、上記の方法で選択する。この実施形態では、無線基地局２０は、受信用のアンテナの切り替えとして図１の構成を備え、送信用のアンテナの切り替えとして、図４に示す構成を備えている。
【００６６】
（Ｇ２）アンテナを切り替える際、各ユーザへの基地局からの送信電力などの各パラメータを記憶（退避）しておき、その後、アンテナを基に戻すときには、記憶（退避）しておいたパラメータに戻す。例えば図４において送信アンテナ２１１から、送信アンテナ２１２に切り替える場合、送信アンテナ２１１を用いた通信における各ユーザへの無線基地局２０からの送信電力などの各パラメータを退避しておく。送信アンテナ２１２から、送信アンテナ２１１に切り替えるとき、退避されたパラメータを復帰し、該復帰したパラメータを基に送信を制御する。
【００６７】
（Ｇ３）アンテナを切り替える瞬間には、通信が途絶え、データが欠落するので、通信容量が少ないタイミングを見はからって切り替えを行う。
【００６８】
（Ｇ４）送信電力報告値または送信電力値を比較する際、伝送速度に応じた、重みをつける。
【００６９】
（Ｇ５）アンテナの切替制御のための、送信電力報告値、送信電力値等を比較する際に用いられる、各種の閾値については、そのときの伝播条件・ユーザ数などに応じて、適応的に変化させる。
【００７０】
（Ｇ６）他の基地局とＤＨＯ（Diversity Hand Over；ダイバーシティ・ハンドーバ）中のユーザ端末は、比較の対象から除外する。
【００７１】
図５は、本発明の第４の実施形態の無線基地局の構成を示す図である。図５のように、２本のアンテナからの受信信号に重みをつけて加算し、それを受信回路への選択肢に加える。すなわち、第１のアンテナ２０１と、第２のアンテナ２０２と、第１のアンテナ２０１及び第２のアンテナ２０２の受信信号を増幅器２０８、２０９で重みに対応する所定の利得で増幅し加算器２１０で加算したした信号のいずれかをスイッチ２０３で選択するように、判定回路２０５が、ユーザ端末１１、１２の送信電力報告値に基づく選択する。
【００７２】
アンテナを選択する方法としては、上記実施形態の（Ａ１）乃至（Ａ４）のいずれかが用いられる。
【００７３】
このような比較を行うには、アンテナを切替える動作が必要だが、その契機としては、上記（Ｂ１）、（Ｂ２）が用いられる。
【００７４】
図６は、本発明の第５の実施形態の無線基地局の構成を示す図である。図６に示すように、送信機２０６からの信号を、第１、第２の送信アンテナ２１１、２１２、分配器２１４に切り替えるスイッチ２１３を備え、分配器２１４の出力は、増幅器２１５、２１６で重みに対応して増幅され第１、第２の送信アンテナ２１１、２１２に分配される。
【００７５】
アンテナ２１１、２１２を選択する方法としては、上記（Ｄ１）ないし（Ｄ４）のいずれかが用いられる。アンテナを切替える動作は、上記（Ｅ１）、又は（Ｅ２）が用いられる。
【００７６】
図７は、本発明の第６の実施形態の無線基地局の構成を示す図である。２本の受信アンテナ２０１、２０２からの受信信号を、それぞれ可変利得増幅器２０８Ａ、２０９Ａで重みに対応して増幅し、加算器２１０で加算した信号を受信機２０４に入力する。
【００７７】
制御・判定回路２１７は、受信機２０４の出力を受け、可変利得増幅器２０８Ａ、２０９Ａの利得を可変制御する。可変利得増幅器２０８Ａ、２０９Ａの利得を少しずつ可変させることによって、瞬断を回避でき、また最適の重みを選択することで特性も改善できる。重みの選択方法は、アンテナの選択方法に順ずる。
【００７８】
アンテナを選択する方法としては、上記実施形態の（Ａ１）乃至（Ａ４）のいずれかが用いられる。
【００７９】
このような比較を行うには、アンテナを切替える動作が必要だが、その契機としては、上記（Ｂ１）又は（Ｂ２）が用いられる。
【００８０】
図８は、本発明の第７の実施の形態の構成を示す図である。送信機２０６からの信号を分配器２１４で分配し、可変利得増幅器２１５Ａ、２１６Ａでそれぞれ増幅し、第１、第２の送信アンテナ２１１、２１２にそれぞれ供給する。分配器２１４の出力は、可変利得増幅器２１５Ａ、２１６Ａで重みに対応して増幅され第１、第２の送信アンテナ２１１、２１２に分配される。
【００８１】
アンテナを選択する方法としては、上記実施形態と同様とされる。送信機２０６から２本のアンテナへ重みをつけて分配し、その重みを制御する。重みを少しずつ変えていくことによって瞬断を回避でき、また最適の重みを選択することで特性も改善できる。重みの選択方法は、アンテナの選択方法に従う。なお、アンテナを非選択とするには、例えば重みを０とすればよい。
【００８２】
なお、前記実施形態では、アンテナを２本として説明したが、アンテナの本数を３本以上としてもよい。
【００８３】
アンテナを切り替えて急激に特性の悪くなった場合（例えば受信特性が急激に悪くなる等）、ユーザが検出された場合、即座にアンテナをもとに戻す制御を行ってもよい。
【００８４】
以上のように、本実施形態においては、送受信回路は、１系統しか持たないため、送受信回路のコストを低減し、アンテナを２本以上用いることにより、室内環境において送受信の伝播環境の悪い状況を回避することが可能となる。本実施形態によれば、複数のユーザが存在している場合に、特に有効であるものと思料される。
【００８５】
以上本発明を上記実施形態に即して説明したが、本発明は、上記実施形態の構成にのみ限定されるものでなく、本発明の範囲内で当業者であればなし得るであろう各種変形、修正を含むことは勿論である。
【図面の簡単な説明】
【００８６】
【図１】本発明の第１の実施形態の構成を示す図である。
【図２】本発明の第１の実施形態の構成を示す図である。
【図３】本発明の第２の実施形態の構成を示す図である。
【図４】本発明の第３の実施形態の構成を示す図である。
【図５】本発明の第４の実施形態の構成を示す図である。
【図６】本発明の第５の実施形態の構成を示す図である。
【図７】本発明の第６の実施形態の構成を示す図である。
【図８】本発明の第７の実施形態の構成を示す図である。
【図９】従来システムの構成を示す図である。
【符号の説明】
【００８７】
１１、１２  ユーザ端末
２０  無線基地局
２１  アンテナ
２２  受信機
３０  物体（電波反射物体）
２０１、２０２  アンテナ
２０３  切替スイッチ
２０４  受信機
２０５  判定回路  
２０６  送信機
２０７  判定回路
２０８、２０９  増幅器
２０８Ａ、２０９Ａ  可変利得増幅器
２１０  加算器
２１１、２１２  アンテナ
２１３  スイッチ
２１４  分配器
２１５、２１６  増幅器
２１５Ａ、２１６Ａ  可変利得増幅器
２１７  制御・判定回路
２１８  制御・判定回路
【図１】
2005260502.tif 000003
【図２】
2005260502.tif 000004
【図３】
2005260502.tif 000005
【図４】
2005260502.tif 000006
【図５】
2005260502.tif 000007
【図６】
2005260502.tif 000008
【図７】
2005260502.tif 000009
【図８】
2005260502.tif 000010
【図９】
2005260502.tif 000011